(57)【要約】  本発明は、第１内容器の第１内容器蓋上部に載置されながら前記第１内容器蓋を介して密閉される第２内容器を備え、第１及び第２内容器に互いに異なる化粧料を充填して使用できると同時に、第２内容器のみを開放して使用でき、未使用時には第１及び第２内容器に収容された化粧料間の完全な隔離が可能であり、前記第１内容器蓋を開放した時にパレット機能を有することによって別途のパレットを携帯したり、該当コンパクト容器に別途のパレット構成を追加しなくても第１及び第２内容器の化粧料を容易に混ぜて使用できる化粧品用コンパクト容器に関し、本発明に係る化粧品用コンパクト容器は、開閉用蓋を含む外容器と、前記外容器の内側に結合されて内側に化粧料が充填される第１内容器と、前記第１内容器を開閉するために前記第１内容器に回転自在に結合される内容器蓋と、前記外容器に回転自在に結合され、化粧料収容空間が形成されて前記化粧料収容空間に化粧料が充填されて前記内容器蓋の上に載置される第２内容器を含み、前記外容器の蓋は、前記第１内容器、内容器蓋及び第２内容器を外部から遮断しながら前記外容器を閉鎖する構成である。
2022500175.tif 000002
【特許請求の範囲】
【請求項１】
蓋を含む外容器と、
前記外容器の内側に結合されて内側に第１化粧料が充填される第１内容器と、
前記第１内容器を開閉する第１内容器蓋と、
前記外容器に回転自在に結合され、第２化粧料収容空間が形成されて第２化粧料が充填されて前記第１内容器蓋の上に載置されながら閉鎖される第２内容器とを含み、
前記外容器の蓋は、前記第１内容器、第１内容器蓋及び第２内容器を外部から遮断しながら前記外容器を閉鎖する、化粧品用コンパクト容器。
【請求項２】
前記第１内容器の内側に挿入されて第１化粧料が含浸される含浸部材をさらに含むことを特徴とする、請求項１に記載の化粧品用コンパクト容器。
【請求項３】
前記含浸部材の前記第１内容器内の固定のために前記第１内容器に結合される固定具をさらに含むことを特徴とする、請求項２に記載の化粧品用コンパクト容器。
【請求項４】
前記第１内容器蓋は、内側に化粧料混合凹部が形成され、前記化粧料混合凹部の内側底面に混合機能を高めるための複数の攪拌用突起が形成されることを特徴とする、請求項１に記載の化粧品用コンパクト容器。
【請求項５】
前記第１内容器は、底面及び前記底面から上部に延長形成された第１外壁、及び前記第１外壁から一定の間隔で離隔されて形成される第２外壁を含むことを特徴とする、請求項１に記載の化粧品用コンパクト容器。
【請求項６】
前記第１内容器蓋は、下面に第１環状密閉突輪が形成され、前記第１環状密閉突輪が前記第１内容器の第２外壁の内周縁に強制嵌合方式で挿入されて前記第１内容器を密閉することを特徴とする、請求項１に記載の化粧品用コンパクト容器。
【請求項７】
前記第１内容器蓋は、上面に第２環状密閉突輪が形成されて前記第２内容器の第２化粧料収容空間を密閉することを特徴とする、請求項１に記載の化粧品用コンパクト容器。
【請求項８】
前記第２内容器の第２化粧料収容空間には固形またはバームタイプの第２化粧料が充填されるか又はゲル状または液状の第２化粧料が含浸された含浸スポンジが内蔵されることを特徴とする、請求項１に記載の化粧品用コンパクト容器。
【請求項９】
前記第２内容器は、上面に環状突輪によるパフ保管凹部が形成されることを特徴とする、請求項１に記載の化粧品用コンパクト容器。
【請求項１０】
前記環状突輪は、蓋を閉じた時に蓋の鏡面と当接するように形成され、蓋によって第２内容器及び第１内容器蓋が順に押し込まれて第１内容器及び第２内容器の密閉が強化されることを特徴とする、請求項９に記載の化粧品用コンパクト容器。
【請求項１１】
前記第２内容器には詰替フックが形成され、外容器には詰替フック挿入凹部が形成されて互いに結合されることを特徴とする、請求項１に記載の化粧品用コンパクト容器。
【発明の詳細な説明】
【技術分野】
【０００１】
本発明は、第１内容器の第１内容器蓋上部に載置されながら、前記第１内容器蓋を介して密閉される第２内容器を備え、第１及び第２内容器に互いに異なる化粧料を充填して使用できると同時に、第２内容器のみを開放して使用でき、未使用時には第１及び第２内容器に収容された化粧料間の完全な隔離が可能であり、前記第１内容器蓋を開放した時にパレット機能を有することによって別途のパレットを携帯することや、該当コンパクト容器に別途のパレット構成を追加することもなく、第１及び第２内容器の化粧料を容易に混ぜて使用できる化粧品用コンパクト容器に関する。
【背景技術】
【０００２】
一般的に、色調化粧品は、肌に栄養分を供給する基礎化粧品と異なり、顔料が含まれて肌のトーン（ｔｏｎｅ）の調整を通じて審美感を向上させる化粧品を指す。
【０００３】
このような色調化粧品は、大きく分けて肌の色を均一にして欠点カバーのために使用されるベースメイクアップ、及び唇、目、爪などの立体感を部分的に向上させるポイントメイクアップに区分され、ベースメイクアップには通常、メイクアップベース、ファンデーション、パウダーなどが含まれ、ポイントメイクアップには通常リップスティック、アイライナー、マスカラなどが含まれる。
【０００４】
そして、ベースメイクアップの一つであるファンデーションは、化粧料の形態により固形ファンデーション、液状ファンデーション、ゲル状ファンデーションに区分され、固形ファンデーションの場合、カバー機能は優れているが、化粧直しの時にダマになる傾向があり、液状ファンデーションの場合、密着感は優れているが、持続力が弱い傾向がある。このような理由などから、最近では相当な持続力を有するだけでなく、肌への塗布時に密着感が良好なゲル状ファンデーションの選好度が高まっている傾向だ。
【０００５】
ゲル状ファンデーションの包装及び使用方式について簡略に説明すると、ガラスまたはチューブ容器に充填されたゲル状ファンデーションを使用者が押圧して使用者自身の手やパレットなどの化粧道具に吐出させた後、これをパフや手を利用して肌に塗布する方式が利用され、最近ではゲル状ファンデーションを発泡ウレタンフォームに含浸してこれをコンパクト容器内に内蔵して使用する方式が広く利用されている。
【０００６】
韓国登録特許第１０−１７３４１８１号の「２種類の化粧料が収容されるコンパクト容器」に上部が開放された外容器と、前記外容器の一側に結合される外容器蓋と、前記外容器内部に装着されて第１収容空間が形成された内容器、及び前記内容器一側に結合されて下部に第２収容空間が形成された内容器蓋とで構成され、前記第２収容空間が第１収容空間と対向して形成され、前記内容器蓋を内容器に閉じた時に前記第２収容空間と第１収容空間とが共に密閉される構成が掲示されている。
【０００７】
すなわち、内容器が内容器蓋を介して閉じられた状態を基準に、内容器蓋には内容器の第１収容空間と対向して通じる第２収容空間が設けられ、これにより、内容器を内容器蓋で閉じた時に内容器の第１収容空間及び内容器蓋の第２収容空間が内容器蓋を介して共に密閉される構成である。
【０００８】
しかし、前述のコンパクト容器は、内容器蓋が開いた時に内容器の第１収容空間及び内容器蓋の第２収容空間が共に開放される方式なので、内容器蓋の第２収容空間に収容された化粧料のみを使用する場合にも、内容器の第１収容空間に収容された化粧料が共に外部に露出されざるを得なかった。
【０００９】
また、互いに対向する第１収容空間及び第２収容空間の間を隔離するために、第２収容空間にはスクリーン網が設置されるので、第２収容空間には固形化粧料を使用できず、スクリーン網があっても第１収容空間及び第２収容空間の間の完全な隔離が不可能であり、第１収容空間の化粧料及び第２収容空間の化粧料との間で混ざる可能性がいまだに残るものであった。
【００１０】
また、上記従来技術は、第１収容空間にゲル状ファンデーションを充填して第２収容空間に固形パウダーを充填した後、内容器蓋を閉じて保管するようになると、第１収容空間のゲル状ファンデーションの水分が急激に蒸発して第２収容空間の固形パウダーに吸着するようになるので、前記第１収容空間のゲル状ファンデーションは固まって使用できなくなるため、前記従来技術は、ゲル状ファンデーションと固形パウダーを第１収容空間と第２収容空間に充填して使用できない問題点があった。
【００１１】
また、内容器の第１収容空間及び内容器蓋の第２収容空間を介して２種類以上の化粧料を保管及び使用できるようにするだけで、該当化粧料を混ぜて使用できるようにする機能を提供することができなかった。
【先行技術文献】
【特許文献】
【００１２】
【特許文献１】韓国登録特許第１０−１７３４１８１号（２０１７．０５．１２．公告）「２種類の化粧料が収容されるコンパクト容器」
【特許文献２】韓国公開特許第１０−２０１７−００７８２８０号（２０１７．０７．０７．公開）「積層構造からなる回転式コンパクト容器」
【特許文献３】韓国登録実用新案第２０−０４７３９６７号（２０１４．０８．１３．公告）「密度が異なる第１含浸部と第２含浸部を備えたコンパクト容器」
【発明の概要】
【発明が解決しようとする課題】
【００１３】
本発明の実施例は、第１内容器を密閉する第１内容器蓋を備え、前記第１内容器蓋上部に載置されながら前記第１内容器蓋の上部を介して密閉される第２内容器を備え、第１及び第２内容器に互いに異なる化粧料を充填して使用できると同時に、第２内容器のみを開放して使用できる化粧品用コンパクト容器を提供する。
【００１４】
また、本発明の実施例は、第１内容器の第１内容器蓋上部に載置されながら前記第１内容器蓋を介して密閉される第２内容器を備えることによって、未使用時には第１及び第２内容器に収容された化粧料間の完全な隔離と密閉が可能な化粧品用コンパクト容器を提供する。
【００１５】
また、本発明の実施例は第１内容器の第１内容器蓋上部に載置されながら前記第１内容器蓋を介して密閉される第２内容器を備えるが、前記第１内容器蓋がパレット機能を有することによって別途のパレットを携帯することや、該当コンパクト容器に別途のパレット構成を追加することをしなくても２つの内容器の化粧料を容易に混ぜて使用できるようにする化粧品用コンパクト容器を提供する。
【課題を解決するための手段】
【００１６】
本発明の実施例に係る化粧品用コンパクト容器は、開閉用蓋を含む外容器と、前記外容器の内側に結合されて内側に第１化粧料が充填される第１内容器と、前記第１内容器を開閉するために前記第１内容器に回転自在に結合される第１内容器蓋と、前記外容器に回転自在に結合され、第２化粧料収容空間が形成されて前記第２化粧料収容空間に第２化粧料が充填されて前記第１内容器蓋の上に載置される第２内容器を含み、前記外容器の蓋は、前記第１内容器、第１内容器蓋及び第２内容器を外部から遮断しながら前記外容器を閉鎖してもよい。
【００１７】
また、本発明の実施例に係る化粧品用コンパクト容器は、前記第１内容器の内側に挿入されて第１化粧料が含浸される含浸部材をさらに含んでもよい。
【００１８】
また、本発明の実施例に係る化粧品用コンパクト容器は、前記含浸部材の前記第１内容器内の固定のために前記第１内容器に結合される固定具をさらに含んでもよい。
【００１９】
また、前記第１内容器蓋は、内側に化粧料混合凹部が形成され、前記化粧料混合凹部の内側底面に混合機能を高めるための複数の攪拌用突起が形成されてもよい。
【００２０】
また、前記第１内容器は、底面及び前記底面から上部に延長形成された第１外壁、そして前記第１外壁から一定の間隔で離隔されて形成される第２外壁を含んでもよい。
【００２１】
また、前記第１内容器蓋は、下面に第１環状密閉突輪が形成され、前記第１環状密閉突輪が前記第１内容器の第２外壁の内側に強制嵌合方式で挿入されて前記第１内容器を密閉してもよい。
【００２２】
また、前記第１内容器蓋は、上部に第２環状密閉突輪が形成されて前記第２内容器が第１内容器蓋上部に載置されながら閉じられた時に前記第２内容器が第１内容器蓋の第２環状密閉突輪内に強制嵌合結合を通じて前記第２内容器の第２化粧料収容空間を密閉してもよい。
【００２３】
また、前記第２内容器の第２化粧料収容空間には固形またはバームタイプの第２化粧料が充填されるか、ゲル状または液状の第２化粧料が含浸された含浸スポンジが内蔵されてもよい。
【００２４】
また、前記第２内容器は、上面に環状突輪によるパフ保管凹部が形成されてもよい。
【００２５】
また、前記第２内容器には詰替フックが形成され、外容器には詰替フック挿入凹部が形成されて互いに結合されてもよい。
【発明の効果】
【００２６】
本発明の実施例によれば、第１内容器と、前記第１内容器を密閉する第１内容器蓋上部に載置されながら前記第１内容器蓋の上部を介して密閉される第２内容器に互いに異なる化粧料を充填して使用でき、第２内容器のみを開放して使用することもできる。
【００２７】
また、第１内容器及び第１内容器蓋上部に載置されて密閉される第２内容器を介して一つのコンパクト容器内に互いに異なる化粧料を互いに異なる容器に各々充填して個別使用できると同時に、互いに異なる容器間の完全な隔離がなされて該当容器の化粧料間で混ざる現象及び水分が蒸発する問題点が根本的に排除されることができる。
【００２８】
また、第１内容器蓋に備えられるパレット機能を介して第１内容器及び第２内容器に収容された化粧料を、第１内容器蓋を利用して混ぜて使用でき、したがって、別途のパレットないし該当コンパクト容器に別途のパレット構成を追加しなくても、コンパクト容器の使用者が該当コンパクト容器内の互いに異なる２種類の化粧料を容易に混ぜて使用できるようになる。
【図面の簡単な説明】
【００２９】
【図１】本発明の一実施例に係る化粧品用コンパクト容器を例示した斜視図である。
【図２】本発明の一実施例に係る化粧品用コンパクト容器を分解した状態で例示した斜視図である。
【図３】本発明の一実施例に係る化粧品用コンパクト容器の断面図である。
【図４】本発明の一実施例に係る化粧品用コンパクト容器の外容器蓋が開放された状態を例示した断面図である。
【図５】本発明の一実施例に係る化粧品用コンパクト容器の外容器蓋開放及び第２内容器の回転を通じた開放を順に例示した斜視図である。
【図６】図５を通じて開放された第２内容器の第２化粧料の使用状態を例示した断面図である。
【図７】図５及び６に係る第２内容器の開放状態で第１内容器蓋の回転を通じた第１内容器の開放状態を例示した斜視図である。
【図８】図７を通じて開放された第１内容器内の第１化粧料の使用状態を例示した断面図である。
【図９】本発明の一実施例に係る化粧品用コンパクト容器の第２内容器詰め替えを例示した斜視図である。
【発明を実施するための形態】
【００３０】
以下の本発明に関する詳細な説明は、本発明が実施され得る実施例であり、当該実施例の例示として図示された添付の図面を参照する。これら実施例は、当業者が本発明を実施するに足りるよう詳細に説明される。本発明の多様な実施例は、互いに異なるが、相互排他的である必要はないことを理解されたい。例えば、ここに記載されている特定の形状、構造及び特性は、一実施例に関連して本発明の思想及び範囲を逸脱せずに他の実施例で具現され得る。また、それぞれの記載された実施例内の個別の構成要素の位置または配置は、本発明の思想及び範囲を逸脱せずに変更され得ることを理解されたい。
【００３１】
したがって、後述する詳細な説明は、限定的な意味をもって採用しようとするものではなく、本発明の範囲は、適切に説明されるならその請求項が主張することと均等なすべての範囲と、併せて添付された請求項によってのみ限定される。図面で類似する参照符号は、いくつかの側面において同一か類似する機能を指称する。
【００３２】
本発明で使用される用語は、本発明での機能を考慮しながら可能な限り現在広く使用される一般的な用語を選択したが、これは当分野に従事する技術者の意図または判例、新たな技術の出現などによって変わる場合がある。また、特定の場合は出願人が任意に選定した用語もあり、この場合は該当する発明の説明部分において詳細にその意味を記載する。したがって、本発明で使用される用語は単なる用語の名称ではなく、その用語が持つ意味と本発明の全般にわたる内容を基に定義されなければならない。
【００３３】
本発明で、ある部分がある構成要素を「含む」とする場合、これは特に反対の記載がない限り、他の構成要素を除外するものではなく、他の構成要素をさらに含み得ることを意味する。
【００３４】
図１ないし図９を参照して本発明の実施例に係る化粧品用コンパクト容器について説明する。
【００３５】
図１は本発明の一実施例に係る化粧品用コンパクト容器を例示した斜視図であり、図２は本発明の一実施例に係る化粧品用コンパクト容器を分解した状態で例示した斜視図であり、図３は本発明の一実施例に係る化粧品用コンパクト容器の断面図であり、図４は本発明の一実施例に係る化粧品用コンパクト容器の外容器蓋が開放された状態を例示した断面図である。
【００３６】
図示されたように、本発明の一実施例に係る化粧品用コンパクト容器は、外容器１０、第１内容器２０、第１内容器蓋３０及び第２内容器４０を含んで構成されてもよい。また、本発明の一実施例に係る化粧品用コンパクト容器は、第１化粧料５０が含浸される含浸部材及び固定具６０をさらに含んで構成されてもよい。
【００３７】
外容器１０は、開閉用蓋１１を含み、本実施例では外容器１０に回転自在に結合される蓋１１がその回転を通じて外容器１０を開閉する形態を例としたが、本発明はこれに限定されるものではない。すなわち、外容器１０の蓋１１は、ネジ結合方式ないしパッキングを伴う強制嵌合方式を通じて外容器１０に着脱可能に結合されながら外容器１０を開閉する形態でもよい。
【００３８】
前記外容器１０は、ロック段部１２を備えた押しボタン１３が一側面に形成され、押しボタン１３と対応する他側面にヒンジが形成され、前記ヒンジに蓋１１が回転自在にヒンジ結合される。そして、外容器１０の内周面には締結突起１４が形成され、外容器１０の内周縁にはヒンジブラケット装着凹部１５が形成される。
【００３９】
そして、押しボタン１３は、使用者の押す動作によって押しボタン１３の上部に延長形成されたロック段部１２が容易に後退されて蓋１１のロック突起１１ａから離脱できるようにする。
【００４０】
締結突起１４は、第１内容器２０の外壁外周面に形成される締結凹部２４に締結される。
【００４１】
ヒンジブラケット装着凹部１５には第１内容器２０のヒンジブラケット２５が嵌められる。前記ヒンジブラケット装着凹部１５の対向側には詰替フック挿入凹部１８が形成され、後述する第２内容器４０の詰替フック４８が嵌められる。
【００４２】
また、外容器１０の蓋１１内側には鏡１６が結合され、前記鏡１６は、化粧料を利用して化粧をする時に容易に化粧ができるようにし、その他に鏡１６が必要な時に使用されてもよい。
【００４３】
第１内容器２０は、外容器１０の内側に結合されて内側に第１化粧料５０が充填される。
【００４４】
前記第１内容器２０は、底面２１及び底面２１から上部に延長形成された第１外壁２２、及び第１外壁２２の外側から一定の間隔で離隔されて形成される第２外壁２３を含んで構成される。
【００４５】
そして、第１外壁２２の外周面には結合凹部２２ａが形成され、前記結合凹部２２ａには固定具６０に形成された結合突起６１が嵌合されて固定具６０が第１内容器２０から分離されることを防ぐ。
【００４６】
本発明では前記固定具６０を第１内容器２０の第１外壁２２内周縁に嵌めるように記載しているが、これに限らず、第１外壁の外周縁に結合凹部を形成させて前記固定具６０を第１内容器２０の第１外壁２２外周縁に嵌めて固定させてもよい。
【００４７】
また、第１内容器２０の締結凹部２４は、外容器１０の内周面に形成された締結突起１４と締結されて第１内容器２０が外容器１０から分離されることを防ぐ。
【００４８】
また、第２外壁２３の外周縁にはヒンジブラケット２５が形成され、前記ヒンジブラケット２５には第１内容器蓋３０に形成されたヒンジブロック３５がヒンジ結合される。
【００４９】
第１内容器蓋３０は、第１内容器２０を開閉するために第１内容器２０にヒンジ結合される。
【００５０】
前記第１内容器蓋３０は、下面に第１環状密閉突輪３３が形成され、第１環状密閉突輪３３を第１内容器２０の第２外壁２３の内側面に強制嵌合方式で挿入させて第１内容器２０を閉鎖及び密閉する。
【００５１】
そして、第１内容器蓋３０は、内側に化粧料混合凹部３１が形成され、前記化粧料混合凹部３１の内側底面に混合機能を高めるための複数の攪拌用突起３２が形成される。
【００５２】
また、第１内容器蓋３０は、一側面に容易に開閉できるように開閉つまみ３６が形成され、ヒンジブロック３５が形成され、前記ヒンジブロック３５が第１内容器２０のヒンジブラケット２５に嵌められてヒンジピンを介して回転自在に結合される。
【００５３】
また、第１内容器蓋３０は、上面に第２環状密閉突輪３４が形成され、前記第２環状密閉突輪３４を介して第２内容器４０の化粧料収容空間４３を閉鎖及び密閉し、これについては第２内容器４０についての説明でさらに述べることとする。
【００５４】
第２内容器４０は、外容器１０に回転自在にヒンジ結合される。前記第２内容器４０には第２化粧料収容空間４３が形成されるが、前記第２化粧料収容空間４３には固形またはバーム（ｂａｌｍ）タイプの第２化粧料８０が充填されるか、ゲル状または液状の第２化粧料８０が含浸された含浸スポンジが内蔵され、その他にも多様な方式で化粧料が収容されてもよい。
【００５５】
そして、前記第２内容器４０の第２化粧料収容空間４３には第２化粧料８０または含浸スポンジを固定させる固定リング４４が結合されてもよい。そして、第２内容器４０の第２化粧料収容空間４３には第２化粧料８０が内蔵される化粧料皿（未図示）がさらに形成されてもよい。前記固定リング４４と化粧料皿が共に備えられる場合、化粧料皿に化粧料８０を充填し、先に化粧料皿の上部に固定リング４４を結合した後、前記化粧料皿を第２内容器４０の第２化粧料収容空間４３に結合するようになる。前記化粧料皿は、合成樹脂または金属など多様な材質で形成されてもよく、特に金属のうち軽くて耐久性に優れたアルミニウム（Ａｌｕｍｉｎｉｕｍ）材質で形成されることが好ましい。
【００５６】
また、第２内容器４０は、第１内容器蓋３０の上に載置される。前記第２内容器４０の第２化粧料収容空間４３は、第１内容器蓋３０の第２環状密閉突輪３４を介して開閉され、前記第２内容器４０が第１内容器蓋３０上部に載置されながら閉じられた時に前記第２内容器４０が第１内容器蓋３０の第２環状密閉突輪３４内に強制嵌合方式の結合を通じて前記第２内容器４０の第２化粧料収容空間４３の密閉がなされてもよい。本実施例を基準に説明すると、第２内容器４０の下部がその周りを第２環状密閉突輪３４の内側に密着する状態で第２環状密閉突輪３４の内側に嵌められ、これにより、第１内容器蓋３０の上部が第２内容器４０に着脱可能に結合をしながら第２内容器４０の第２化粧料収容空間４３を閉鎖及び密閉する。
【００５７】
本実施例を基準に説明すると、第２内容器４０は、未使用時に第１内容器蓋３０の上に載置される状態へ回転され、第１内容器蓋３０の第２環状密閉突輪３４を介して第２化粧料収容空間４３が閉鎖及び密閉され、使用時には上下方向の反転がなされる回転を通じて第２化粧料収容空間４３を開放するようになる。
【００５８】
また、第２内容器４０は、上面に環状突輪４１によるパフ保管凹部42が形成され、前記パフ保管凹部42にパフ７０が保管される。ここで、環状突輪４１が形成される第２内容器４０の上面は、第２内容器４０が第１内容器蓋３０に載置された状態を基準に第２内容器４０の上面を意味する。
【００５９】
また、前記環状突輪４１は、蓋１１を閉じた時に蓋１１の鏡１６面と当接するように形成され、蓋１１によって第２内容器４０及び第１内容器蓋３０が順に押し込まれて第１内容器２０及び第２内容器４０の密閉を強化させてもよい。
【００６０】
そして、第２内容器４０の一側には前記第２内容器４０の回転のためのヒンジ部４５が形成され、前記ヒンジ部４５には前記第２内容器４０の詰め替えのために詰替フック４８が形成される。前記詰替フック４８は、板状に形成されて前述の外容器１０の詰替フック挿入凹部１８に嵌められ、前記詰替フック４８のいずれか一面には嵌合突起４９が形成されて詰替フック４８と外容器１０の締結力をさらに補強してもよい。本発明の一実施例に係る図面では詰替フック４８が四角板状であると図示したが、これに限定されず多様な形態で形成されてもよい。前述のように、本発明は、第２内容器４０の詰替フック４８の構成を通じて化粧料がほぼ消尽した第２内容器４０を外容器１０に容易に着脱しながら詰め替えができるようになる。
【００６１】
前記第２内容器４０と第１内容器蓋３０のヒンジ結合の部分、すなわち、第２内容器４０のヒンジ部４５と第１内容器蓋３０のヒンジブロック３５は、対向側に形成されるが、これは第２内容器４０と第１内容器蓋３０が開閉される時に互いに邪魔にならないようにするためである。図７に示すように、第２内容器４０と第１内容器蓋３０が完全に開いた時、第１内容器２０の中心から第２内容器４０の中心を連結する軸ｘと第１内容器２０の中心から第１内容器蓋３０の中心を連結する軸ｙの角度ａは１８０度以下であることが好ましい。
【００６２】
第１化粧料５０が含浸された含浸部材は、第１内容器２０の内側に挿入され、前記含浸部材には第１化粧料５０が含浸される。
【００６３】
そして、含浸部材は、ＢＲ（Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｔｅｒａｌ  Ｒｕｂｂｅｒ）、ＮＲＳＢＲ（Ｎａｔｅｒａｌ  Ｒｕｂｂｅｒ  Ｓｔｙｒｅｎｅ  Ｂｕｔａｄｉｅｎｅ  Ｒｕｂｂｅｒ）、ＮＢＲ（ａｃｒｙｌｏｎｉｔｒｉｌｅ−ｂｕｔａｄｉｅｎｅ  ｒｕｂｂｅｒ）、湿式ウレタン、乾式ウレタン、ポリエーテル、ポリエステル、ポリ塩化ビニル、ポリエチレン、ラテックス、シリコーン、ＰＶＡ（ＰｏｌｙＶｉｎｙｌ  Ａｌｃｏｈｏｌ）、ニトリルゴム、ブチルゴム及びネオプレンで構成された群から選ばれる１以上の材質からなってもよい。
【００６４】
固定具６０は、第１化粧料５０が含浸された含浸部材の第１内容器２０内の固定のために第１内容器２０に結合される。
【００６５】
前記固定具６０は、内側に形成される接着部６２及び接着部６２の下側に延長形成される結合部６３からなってもよい。そして、接着部６２は、第１内容器２０の内壁上端に着座されて含浸部材５０が離脱することを防ぎ、結合部６３は、外周面に結合凹部６１が形成され、前記結合凹部６１が第１内容器２０の第１外壁２２内周面に形成された結合突起２２ａと結合されることによって第１内容器２０から固定具６０の離脱を防ぐ。
【００６６】
そして、外容器１０の蓋１１は、第１内容器２０、第１内容器蓋３０及び第２内容器４０を外部から遮断しながら外容器１０を閉鎖する。
【００６７】
図５ないし図９は本発明の一実施例に係る化粧品用コンパクト容器の使用状態を例示した図面であり、これを参照して本発明の一実施例に係る化粧品用コンパクト容器の使用過程について説明する。
【００６８】
まず、図５及び図６を参照すると、図５は本発明の一実施例に係る化粧品用コンパクト容器の外容器蓋開放及び第２内容器の回転を通じた開放を順に例示した斜視図であり、図６は図５を通じて開放された第２内容器の第２化粧料の使用状態を例示した断面図である。
【００６９】
図示されたように、外容器１０の蓋１１を開放後、第２内容器４０のパフ保管凹部42からパフ７０を分離する。次に、第２内容器４０を回転させて第２化粧料収容空間４３及びこれに収容された第２化粧料８０が上側に向かって開放されるようにした後、第２化粧料収容空間４３内の第２化粧料８０をパフ７０ないしその他の化粧道具を通じて使用する。
【００７０】
次に、図７及び図８を参照すると、図７は図５及び図６に係る第２内容器の開放状態で第１内容器蓋の回転を通じた第１内容器の開放状態を例示した斜視図であり、図８は図７を通じて開放された第１内容器の第１化粧料の使用状態を例示した断面図である。
【００７１】
図示されたように、図５及び図６のように第２内容器４０が第１内容器蓋３０から上下方向の反転がなされる回転をし、その第２化粧料収容空間４３を開放した後、第１内容器蓋３０を回転させて第１内容器２０を開放する。これにより、第１内容器２０の第１化粧料５０及び第２内容器４０の第２化粧料８０が外部に露出し、また、第１内容器蓋３０が上下方向の反転がなされる回転を通じてその化粧料混合凹部３１を上側に位置させる状態になることにより、第１化粧料５０及び第２化粧料８０をパフ７０でとって使用するが、第１内容器蓋３０の化粧料混合凹部３１を介して混ぜながら使用できるようになる。
【００７２】
また、開放がなされた第１内容器２０の第１化粧料５０及び第２内容器４０の第２化粧料８０を個別に使用できることは当然である。
【００７３】
次に、図９を参照すると、図９は本発明の一実施例に係る化粧品用コンパクト容器の第２内容器詰め替えを例示した斜視図である。
【００７４】
図示されたように、第２内容器４０に収容された化粧料８０がほぼ消尽して交替しようとする場合、第２内容器４０を外容器１０から引っ張り前記第２内容器４０の詰替フック４８を外容器１０の詰替フック挿入凹部１８から抜き出して分離し、図９のように新しい第２内容器４０の詰替フック４８を外容器１０の詰替フック挿入凹部１８に再び嵌めて第２内容器４０を詰め替えしてもよい。
【００７５】
前述の図１ないし図８を参照した説明を通じて分かるように、本発明に係る化粧品用コンパクト容器は、第１内容器及び前記第１内容器の第１内容器蓋上部に載置されながら前記第１内容器蓋を介して密閉される第２内容器に互いに異なる化粧料を充填して使用できるようにし、また、第２内容器のみを開放して使用することもできるようにする。
【００７６】
また、第１内容器及び前記第１内容器の第１内容器蓋上部に載置されながら前記第１内容器蓋を介して密閉される第２内容器を介して一つのコンパクト容器内に互いに異なる化粧料を互いに異なる容器に各々入れて個別使用できるようにすると同時に、第１内容器及び第２内容器間の完全な隔離がなされて該当容器の化粧料間で混ざる現象が根本的に排除されるようにする。
【００７７】
また、第１内容器蓋に備えられるパレット機能を介して第１内容器及び第２内容器に収容された化粧料を、第１内容器蓋を利用して混ぜて使用できるようにすることにより、別途のパレットないし該当コンパクト容器に別途のパレット構成を追加しなくてもコンパクト容器の使用者が該当コンパクト容器内の互いに異なる２種類の化粧料を容易に混ぜて使用できるようにする。
【００７８】
以上のように本説明では具体的な構成要素などのような特定事項と限定された実施例及び図面によって説明されたが、これは本発明のより全般的な理解を助けるために提供されたものに過ぎず、本発明は上記の実施例に限定されるものではなく、本発明が属する分野で通常の知識を有する者であれば、前記記載から多様な修正及び変形が可能である。
【００７９】
したがって、本発明の思想は説明された実施例に局限して定められてはならず、後述する請求の範囲だけでなく、本請求の範囲と均等か等価的な変形を伴うすべては本発明思想の範疇に属するといえる。
【符号の説明】
【００８０】
１０  外容器
１１  蓋
１１ａ  ロック突起
１２  ロック段部
１３  押しボタン
１４  締結突起
１５  ヒンジブラケット装着凹部
１８  詰替フック挿入凹部
２０  第１内容器
２１  底面
２２  第１外壁
２２ａ  結合凹部
２３  第２外壁
２４  締結凹部
２５  ヒンジブラケット
３０  第１内容器蓋
３１  化粧料混合凹部
３２  攪拌用突起
３３  第１環状密閉突輪
３４  第２環状密閉突輪
３５  ヒンジブロック
３６  開閉つまみ
４０  第２内容器
４１  環状突輪
４２  パフ保管凹部
４３  第２化粧料収容空間
４５  ヒンジ部
４８  詰替フック
５０  第１化粧料
６０  固定具
６１  結合突起
６２  接着部
６３  結合部
７０  パフ
８０  第２化粧料
【図１】
2022500175.tif 000003
【図２】
2022500175.tif 000004
【図３】
2022500175.tif 000005
【図４】
2022500175.tif 000006
【図５】
2022500175.tif 000007
【図６】
2022500175.tif 000008
【図７】
2022500175.tif 000009
【図８】
2022500175.tif 000010
【図９】
2022500175.tif 000011
【国際調査報告】
2022500175.tif 000012
2022500175.tif 000013
2022500175.tif 000014
2022500175.tif 000015